【手続補正書】
【提出日】平成24年10月29日(2012.10.29)
【手続補正１】
【補正対象書類名】特許請求の範囲
【補正対象項目名】全文
【補正方法】変更
【補正の内容】
【特許請求の範囲】
【請求項１】
無線機器のユーザ特性情報に基づく個人化されたコンテンツ嗜好メタデータ要素を無線機器上で得ることと、
複数のサービスの第１のサービスを識別する第１のサービス識別子、及び
前記第１のサービス識別子に関連する予め定められたコンテンツメタデータ要素、
の無線放送を受信することと、
前記複数のサービスの無線放送を受信することと、
前記第１のサービス識別子によって識別される前記第１のサービスを、前記第１のサービス識別子と関連するそれぞれの予め定められたコンテンツメタデータ要素の少なくとも一部分と個人化されたコンテンツ嗜好メタデータ要素との間の比較に基づいて、無線機器において、自動的に選択することとを含むコンテンツを受信する方法。
【請求項２】
個人化されたコンテンツ嗜好メタデータ要素を得ることが、コンテンツ供給者によって定義された複数の予め定められたコンテンツメタデータ要素から個人化されたコンテンツ嗜好メタデータ要素を、ユーザ入力に応答して前記無線機器において、選択することをさらに含む、請求項１に記載の方法。
【請求項３】
個人化されたコンテンツ嗜好メタデータ要素を得ることが、コンテンツ供給者に関連する複数のサービスのそれぞれの１つに対応する複数の予め定められたコンテンツメタデータ要素から個人化されたコンテンツ嗜好メタデータ要素を、ユーザ入力に応答して前記無線機器において、選択することをさらに含み、複数のサービスの少なくとも２つは異なる複数の予め定められたコンテンツメタデータ要素に関連している、請求項１に記載の方法。
【請求項４】
個人化されたコンテンツ嗜好メタデータ要素を得ることが、個人化されたコンテンツ嗜好メタデータ要素を、サイコグラフィック情報、ユーザの予め定められた社会的ネットワークに関連する情報、および予め定められた地理的領域内の予め定められたユーザに関連する情報の少なくとも１つに基づいて生成することをさらに含む、請求項１に記載の方法。
【請求項５】
個人化されたコンテンツ嗜好メタデータ要素を生成することが、アルゴリズム、意志決定ルーチン、ファジィ論理、発見的方法、およびニューラルネットワークの少なくとも予め定められた１つを実行することをさらに含む、請求項４に記載の方法。
【請求項６】
個人化されたコンテンツ嗜好メタデータ要素を得ることが、個人化されたコンテンツ嗜好メタデータ要素を、現地時間、それぞれの無線機器に関連する無線ネットワーク事業者および機器の特性の少なくとも１つに基づいて生成することをさらに含む、請求項１に記載の方法。
【請求項７】
個人化されたコンテンツ嗜好メタデータ要素を生成することが、予め定められたアルゴリズム、予め定められた意志決定ルーチン、予め定められたファジィ論理、予め定められた発見的方法、および予め定められたニューラルネットワークの少なくとも１つを実行することをさらに含む、請求項６に記載の方法。
【請求項８】
複数のコンテンツアイテムの無線放送を受信することが、複数のフローの予め定められた１つの内で受信することを含み、かつ選択されたサービスを保存することをさらに含む、請求項１に記載の方法。
【請求項９】
選択することが、予め定められたコンテンツメタデータ要素の少なくとも部分が予め定められた整合しきい値を満たしたかどうかを決定することをさらに含む、請求項１の方法。
【請求項１０】
選択されたサービスを無線機器上で提示することをさらに含む請求項１に記載の方法。
【請求項１１】
無線機器のユーザ特性情報に基づく個人化されたコンテンツ嗜好メタデータ要素を無線機器上で得るためのコードの第１のセットと、
複数のサービスの第１のサービスを識別する第１のサービス識別子、及び
前記第１のサービス識別子に関連する予め定められたコンテンツメタデータ要素、
の無線放送を受信するためのコードの第２のセットと、
前記複数のサービスの無線放送を受信するためのコードの第３のセットと、
前記第１のサービス識別子によって識別される前記第１のサービスを、前記第１のサービス識別子と関連するそれぞれの予め定められたコンテンツメタデータ要素の少なくとも一部分と個人化されたコンテンツ嗜好メタデータ要素との間の比較に基づいて、無線機器において、自動的に選択するためのコードの第４のセットとを含むコンピュータ可読媒体を含むコンピュータソフトウェア製品。
【請求項１２】
無線機器のユーザ特性情報に基づく個人化されたコンテンツ嗜好メタデータ要素を無線機器上で得ることと、
複数のサービスの第１のサービスを識別する第１のサービス識別子、及び
前記第１のサービス識別子に関連する予め定められたコンテンツメタデータ要素、
の無線放送を受信することと、
前記複数のサービスの無線放送を受信することと、
前記第１のサービス識別子によって識別される前記第１のサービスを、前記第１のサービス識別子に関連するそれぞれの予め定められたコンテンツメタデータ要素の少なくとも一部分と個人化されたコンテンツ嗜好メタデータ要素との間の比較に基づいて、無線機器において、自動的に選択することとの動作を実行するように構成された少なくとも１つのプロセッサ。
【請求項１３】
無線機器のユーザ特性情報に基づく個人化されたコンテンツ嗜好メタデータ要素を得るための手段と、
複数のサービスの第１のサービスを識別する第１のサービス識別子、及び
前記第１のサービス識別子に関連する予め定められたコンテンツメタデータ要素、
の無線放送を受信するための手段と、
前記複数のサービスの無線放送を受信するための手段と、
前記第１のサービス識別子によって識別される前記第１のサービスを、前記第１のサービス識別子に関連するそれぞれの予め定められたコンテンツメタデータ要素の少なくとも一部分と個人化されたコンテンツ嗜好メタデータ要素との間の比較に基づいて、自動的に選択するための手段とを含む無線機器。
【請求項１４】
個人化されたコンテンツ嗜好メタデータ要素、第１のサービス識別子、予め定められたコンテンツメタデータ要素およびコンテンツ選択エンジンを含むメモリーであって、個人化されたコンテンツ嗜好メタデータ要素が、無線機器上のユーザ特性情報に基づいており、前記第１のサービス識別子が複数のサービスの第１のサービスを識別し、予め定められたコンテンツメタデータ要素が、前記第１のサービス識別子と関連し、コンテンツ選択エンジンが、前記第１のサービス識別子によって識別される前記第１のサービスを、前記第１のサービス識別子に関連するそれぞれの予め定められたコンテンツメタデータ要素の少なくとも一部分と個人化されたコンテンツ嗜好メタデータ要素との間の比較に基づいて自動的に選択するように動作可能であるメモリーと、
前記複数のサービスの無線放送を得るように動作可能な通信モジュールと、
メモリーおよび通信モジュールと交信しているプロセッサとを含み、プロセッサが、複数のサービスから１つを選択するためにコンテンツ選択エンジンを実行するように動作可能である、無線機器。
【請求項１５】
個人化されたコンテンツ嗜好メタデータ要素が、コンテンツ供給者によって定義された複数の予め定められたコンテンツメタデータ要素から、ユーザ入力に応答して前記無線機器において、選択される、請求項１４に記載の無線機器。
【請求項１６】
個人化されたコンテンツ嗜好メタデータ要素が、コンテンツ供給者に関連する複数のサービスの１つがそれぞれに対応する複数の予め定められたコンテンツメタデータ要素から、ユーザ入力に応答して前記無線機器において、選択され、複数のサービスの少なくとも２つが、異なる複数の予め定められたコンテンツメタデータ要素に関連している、請求項１４に記載の無線機器。
【請求項１７】
メモリーが、個人化されたコンテンツ嗜好メタデータ要素を、サイコグラフィック情報、ユーザの予め定められた社会的ネットワークに関連する情報、および予め定められた地理的領域内の予め定められたユーザに関連する情報の少なくとも１つに基づいて生成するように動作可能な嗜好メタデータ要素生成器をさらに含む、請求項１４に記載の無線機器。
【請求項１８】
嗜好メタデータ要素生成器が、個人化されたコンテンツ嗜好メタデータ要素を決定するためにプロセッサによって実行可能なアルゴリズム、意志決定ルーチン、ファジィ論理、発見的方法、およびニューラルネットワークの少なくとも予め定められた１つをさらに含む、請求項１７に記載の無線機器。
【請求項１９】
メモリーが、個人化されたコンテンツ嗜好メタデータ要素を現地時間、それぞれの無線機器に関連する無線ネットワーク事業者および機器の特性の少なくとも１つに基づいて生成するように動作可能な嗜好メタデータ要素生成器をさらに含む、請求項１４に記載の無線機器。
【請求項２０】
嗜好メタデータ要素生成器が、個人化されたコンテンツ嗜好メタデータ要素を決定するためにプロセッサによって実行可能なアルゴリズム、意志決定ルーチン、ファジィ論理、発見的方法、およびニューラルネットワークの少なくとも予め定められた１つをさらに含む、請求項１９に記載の無線機器。
【請求項２１】
個人化されたコンテンツ嗜好メタデータ要素が、マルチキャスト送信に関連するそれぞれのサービスに基づいて異なる、請求項１４に記載の無線機器。
【請求項２２】
コンテンツ選択エンジンが、それぞれの予め定められたコンテンツメタデータ要素の少なくとも前記部分が予め定められた整合しきい値を満たしたかどうかを決定するようにさらに動作可能な、請求項１４に記載の無線機器。
【請求項２３】
通信モジュールが、複数のフローの予め定められた１つ内の複数のサービスを受信するようにさらに動作可能であり、プロセッサが、選択されたサービスをメモリーに保存するようにさらに動作可能である請求項１４に記載の無線機器。
【請求項２４】
出力手段をさらに含み、プロセッサが前記出力手段を介して選択されたサービスを提示するようにさらに動作可能である、請求項１４に記載の無線機器。
【請求項２５】
配信システム上で、コンテンツ供給者によって定義された複数の予め定められたコンテンツメタデータ要素を得ることと、
配信システムにおいて、第１のサービス識別子を得ることとであって、前記第１のサービス識別子が複数のサービスの第１のサービスを識別する、得ることと、
配信システムから、第１のサービス識別子を複数の機器へ放送することとを含み、前記第１のサービス識別子によって識別される前記第１のサービスが、選択されたサービスを保存または提示するために、複数の機器の１つで、前記第１のサービス識別子に関連する複数の予め定められたコンテンツメタデータ要素の１つとそれぞれの機器に格納された個人化されたコンテンツ嗜好メタデータ要素との間の比較に基づいて、自動的に選択される、コンテンツ配信方法。
【請求項２６】
配信システム上で、コンテンツ供給者によって定義された複数の予め定められたコンテンツメタデータ要素を得るためのコードの第１のセットと、
配信システムにおいて、第１のサービス識別子を得るためのコードの第２のセットであって、前記第１のサービス識別子が複数のサービスの第１のサービスを識別する、コードの第２のセットと、
配信システムから、第１のサービス識別子を複数の機器へ放送するためのコードの第３のセットとを含み、前記第１のサービス識別子によって識別される前記第１のサービスは、選択されたサービスを保存または提示するために、複数の機器の１つで、前記第１のサービス識別子に関連する複数の予め定められたコンテンツメタデータ要素の１つとそれぞれの機器に格納された個人化されたコンテンツ嗜好メタデータ要素との間の比較に基づいて、自動的に選択される、コンピュータ可読媒体を含む、コンピュータソフトウェア製品。
【請求項２７】
配信システム上で、コンテンツ供給者によって定義された複数の予め定められたコンテンツメタデータ要素を得ることと、
配信システムにおいて、第１のサービス識別子を得ることであって、前記第１のサービス識別子が複数のサービスの第１のサービスを識別する、得ることと、
配信システムから、第１のサービス識別子を複数の機器へ放送することであって、前記第１のサービス識別子によって識別される前記第１のサービスが、選択されたサービスを保存または提示するために、複数の機器の１つで、前記第１のサービス識別子に関連する複数の予め定められたコンテンツメタデータ要素の１つとそれぞれの機器に格納された個人化されたコンテンツ嗜好メタデータ要素との間の比較に基づいて、自動的に選択される、放送すること、との行動を実行するように構成された少なくとも１つのプロセッサ。
【請求項２８】
第１のサービス識別子、複数の予め定められたコンテンツメタデータ要素、を含むメモリーであって、複数の予め定められたコンテンツメタデータ要素がコンテンツ供給者によって定義され、前記第１のサービス識別子が複数のサービスの第１のサービスを識別するメモリーと、
第１のサービス識別子を複数の機器に送信するように動作可能なマルチキャスト手段と、
第１のサービス識別子の送信を開始するために前記マルチキャスト手段を実行するように動作可能なプロセッサとを含み、前記第１のサービス識別子によって識別される前記第１のサービスは、選択されたサービスを保存または提示するために、複数の機器の１つで、前記第１のサービス識別子に関連する複数の予め定められたコンテンツメタデータ要素の１つとそれぞれの機器に格納された個人化されたコンテンツ嗜好メタデータ要素との間の比較に基づいて、自動的に選択される、コンテンツを配信するための装置。
【請求項２９】
選択されたサービスを少なくとも提示するために、選択されたサービスを無線機器上で処理するためのコードの第５のセットをさらに含む請求項１１に記載のコンピュータソフトウェア製品。
【請求項３０】
選択されたサービスを少なくとも提示するために、選択されたサービスを無線機器上で処理することをさらに含む請求項１２に記載の少なくとも１つのプロセッサ。
【請求項３１】
選択されたサービスを少なくとも提示するために、選択されたサービスを処理するための手段をさらに含む請求項１３に記載の無線機器。
【請求項３２】
プロセッサが、選択されたサービスを少なくとも提示するために、選択されたサービスをさらに処理するように動作可能である、請求項１４に記載の無線機器。
【請求項３３】
配信システムにおいて、複数の予め定められたコンテンツメタデータ要素の少なくとも１つと前記第１のサービス識別子との間の関連を得ることと、
配信システムから、前記関連を複数の機器へマルチキャストすることとをさらに含み、前記関連が、複数の機器の１つで、前記第１のサービス識別子によって識別される第１のサービスの選択的処理を自動的に引き起こすように動作する、請求項２５に記載の方法。
【請求項３４】
配信システムにおいて、複数の予め定められたコンテンツメタデータ要素の少なくとも１つと前記第１のサービス識別子との間の関連を得るためのコードの第４のセットと、
配信システムから、前記関連を複数の機器へマルチキャストするためのコードの第５のセットとをさらに含み、前記関連は、複数の機器の１つで、前記第１のサービス識別子によって識別される第１のサービスの選択的処理を自動的に引き起こすように動作する、請求項２６に記載のコンピュータソフトウェア製品。
【請求項３５】
配信システムにおいて、複数の予め定められたコンテンツメタデータ要素の少なくとも１つと前記第１のサービス識別子との間の関連を得ることと、
配信システムから、前記関連を複数の機器へマルチキャストすることとをさらに含み、前記関連が、複数の機器の１つで、前記第１のサービス識別子によって識別される第１のサービスの選択的処理を自動的に引き起こすように動作する、請求項２７に記載の少なくとも１つのプロセッサ。
【請求項３６】
前記メモリーは、少なくとも前記第１のサービス識別子と複数の予め定められたコンテンツメタデータ要素の少なくとも１つとの間の関連をさらに含み、
前記マルチキャスト手段は、前記関連を複数の機器に送信するようにさらに動作可能であり、前記関連は、複数の機器の１つで、前記第１のサービス識別子によって識別される第１のサービスの選択的処理を自動的に引き起こすように動作する、請求項２８に記載の装置。
【請求項３７】
一定の基準に対応する複数のユーザ特性値を無線機器上で設定することと、
複数のサービスの第１のサービスを識別する第１のサービス識別子、
前記第１のサービス識別子に関連する予め定められたコンテンツメタデータ要素、及び
前記複数のサービス、
の無線放送を受信することと、
前記第１のサービス識別子によって識別される前記第１のサービスを自動的に選択するために、前記第１のサービス識別子に関連する前記予め定められたコンテンツメタデータ要素の少なくとも１つの特定の値と前記複数のユーザ特性値の少なくとも１つとの間の整合を前記無線機器上で決定することと、を具備するコンテンツを受信する方法。
【請求項３８】
選択されたサービスを格納または表示するために、前記選択されたサービスを前記無線機器上で処理することをさらに具備する、請求項３７に記載の方法。